(57)【要約】【課題】コインの通路とセンサユニットとの位置調整を短時間且つ簡易に行う。【解決手段】コインセレクタ１は、投入されたコインＣの通路を平面的に制限するコイン通過面２０を備えるベース部材２と、ベース部材２に装着され、コイン通過面２０上にコインＣの検出位置３０を特定するセンサユニット３と、コイン通過面２０に沿って通過するコインＣが検出位置３０を横切るようにコイン通過面２０に沿ったコインＣの通路を制限するガイド板４とを備え、ガイド板４は、コイン通過面２０に垂直に設置される軸４０に一端側が軸支され、軸４０周りに揺動することで検出位置３０との距離が近接離間するガイド面４１を備えると共に、検出位置３０に対してガイド面４１の位置を固定する固定手段４２を備える。【選択図】図１
2016177510.tif 000002
【特許請求の範囲】
【請求項１】
投入されたコインの通路を平面的に制限するコイン通過面を備えるベース部材と、
前記ベース部材に装着され、前記コイン通過面上にコインの検出位置を特定するセンサユニットと、
前記コイン通過面に沿って通過するコインが前記検出位置を横切るように、前記コイン通過面に沿ったコインの通路を制限するガイド板とを備え、
前記ガイド板は、前記コイン通過面に垂直に設置される軸に一端側が軸支され、該軸周りに揺動することで前記検出位置との距離が近接離間するガイド面を備えると共に、前記検出位置に対して前記ガイド面の位置を固定する固定手段を備えることを特徴とするコインセレクタ。
【請求項２】
前記ガイド板は、前記ガイド面を前記軸周りに揺動させる調整ギア噛み合い部を備えることを特徴とする請求項１記載のコインセレクタ。
【請求項３】
前記固定手段は、前記ガイド板を貫通するネジ孔と該ネジ孔に螺合する固定ネジからなることを特徴とする請求項１記載のコインセレクタ。
【請求項４】
投入されたコインの通路を平面的に制限するコイン通過面を備えるベース部材と、前記ベース部材に装着され、前記コイン通過面上にコインの検出位置を特定するセンサユニットと、前記コイン通過面に沿って通過するコインが前記検出位置を横切るように、前記コイン通過面に沿ったコインの通路を制限するガイド板とを備えたコインセレクタの調整方法であって、
前記ガイド板の一端側を前記コイン通過面に垂直な軸に軸支し、該軸周りに前記ガイド板を揺動しながら、前記ガイド板に沿って通過するコインが前記検出位置を横切る位置で、前記ガイド板を前記ベース部材に固定することを特徴とするコインセレクタの調整方法。
【発明の詳細な説明】
【技術分野】
【０００１】
本発明は、コインが投入される装置のコイン投入口に設置されるコインセレクタ及びその調整方法に関するものである。ここでの「コイン」は、貨幣、メダル、トークンなどの総称である。
【背景技術】
【０００２】
従来、パチスロ、ゲーム機などのアミューズメント装置、自動販売機などには、コイン投入口があり、このコイン投入口には、一般にコインセレクタが装備されている。コインセレクタは、コインの真偽を判定したり、投入されたコインの数をカウントするなどの機能を備えている。
【０００３】
従来のコインセレクタは、ガイドレール及びガイド板によってコインの転動通路が形成されており、この転動通路を転動するコインに対して、コインの外縁を検知する位置にセンサ（光電センサ）が配置されている。センサは、転動通路を挟むように、投光素子と受光素子が配置されており、投光素子から受光素子に向けて照射される光が、転動通路を転動するコインで遮光されることを検知して、真正コインの通過を判別している。
【先行技術文献】
【特許文献】
【０００４】
【特許文献１】特開２００５−３０９７７４号公報
【発明の概要】
【発明が解決しようとする課題】
【０００５】
従来のコインセレクタは、個体差のあるセンサの設置位置を調整するために、投光素子と受光素子とを対向した状態で保持しているセンサユニットと、コインの通路（転動通路）との位置関係を調整することがなされている。この調整作業は、調整用の長孔に沿ってコインの通路を平行移動させ、その移動毎に真正コインを通過させて真正コインの外縁を適正に検知することができるセンサユニットの位置を探り、適正に検知できる位置が決まったら、その位置でコインの通路とセンサユニットとの位置関係を固定する作業がなされており、その調整作業に多大の時間と労力を要する問題があった。
【０００６】
本発明は、このような問題に対処することを課題の一例とするものである。すなわち、コインの通路とセンサユニットとの位置調整を短時間且つ簡易に行うことができるコインセレクタを提供すること、などが本発明の目的である。
【課題を解決するための手段】
【０００７】
このような目的を達成するために、本発明によるコインセレクタは、以下の構成を具備するものである。
投入されたコインの通路を平面的に制限するコイン通過面を備えるベース部材と、前記ベース部材に装着され、前記コイン通過面上にコインの検出位置を特定するセンサユニットと、前記コイン通過面に沿って通過するコインが前記検出位置を横切るように、前記コイン通過面に沿ったコインの通路を制限するガイド板とを備え、前記ガイド板は、前記コイン通過面に垂直に設置される軸に一端側が軸支され、該軸周りに揺動することで前記検出位置との距離が近接離間するガイド面を備えると共に、前記検出位置に対して前記ガイド面の位置を固定する固定手段を備えることを特徴とするコインセレクタ。
【発明の効果】
【０００８】
このような特徴を有する本発明のコインセレクタは、ガイド板のガイド面を軸周りに揺動させることで、コインの通路とセンサユニットの検出位置との位置調整を短時間且つ簡易に行うことができる。
【図面の簡単な説明】
【０００９】
【図１】本発明の実施形態に係るコインセレクタの要部を示す説明図である。
【図２】本発明の実施形態に係るコインセレクタの調整方法を説明する説明図である。
【発明を実施するための形態】
【００１０】
以下、図面を参照して本発明の実施形態を説明する。図１は、本発明の実施形態に係るコインセレクタの要部を示している。コインセレクタ１は、ベース部材２と、センサユニット３と、ガイド板４を備えている。ベース部材２は、投入されたコインＣの通路を平面的に制限するコイン通過面２０を備えている。コインＣを投入口から垂直に落下させる場合には、ベース部材２に設けられるコイン通過面２０は垂直な面になる。
【００１１】
センサユニット３は、ベース部材２に装着され、コイン通過面２０上にコインの検出位置３０を特定する。センサユニット３は、投光素子と受光素子を備えた光電センサによって構成することができる。その際、投光素子と受光素子は、コイン通過面２０を挟むように配置され、投光素子と受光素子との間に形成されるギャップ間をコインＣが通過する。
【００１２】
ガイド板４は、コイン通過面２０に沿って通過するコインＣが検出位置３０を横切るように、コイン通過面２０に沿ったコインの通路を制限する。ガイド板４は、コイン通過面２０に垂直に設置される軸４０に一端側が軸支され、軸４０周りに矢印で示すように揺動することで、検出位置３０との距離が近接離間するガイド面４１を備えている。また、ガイド板４は、検出位置３０に対してガイド面４１の位置を固定する固定手段４２を備えている。固定手段４２は、ガイド板４を貫通するネジ孔とネジ孔に螺合する固定ネジなどによって構成することができる。
【００１３】
このようなコインセレクタ１によると、ガイド板４を揺動させることで、ガイド面４１にガイドされてコイン通過面２０に沿ってセンサユニット３を通過するコインＣを、センサユニット３に対して近接させたり離間させたりすることができる。センサユニット３の個体差によって、検出位置３０が様々に設定されることがあるが、ガイド板４のガイド面４１を揺動させるという簡易な操作で、検出位置３０とコインＣの通路との位置関係を調整することができる。
【００１４】
この際、ガイド板４の調整方向は、軸４０周りの１つの調整方向に限られるので、速やかな調整が可能になる。また、図示のように、ガイド板４に調整ギア噛み合い部４３を設けることで、これに調整ギア５を噛み合わせて回転させ、ガイド面４１の位置を簡易に微調整することができる。
【００１５】
図２によって、その調整方法の具体例を説明する。この例では、ガイド板４の調整ギア噛み合い部４３に噛み合う調整ギア５を回転駆動する駆動治具（駆動モータ）５０を用いる。駆動治具５０は、制御部５１と信号線５２で接続されており、制御部５１からの制御信号で回転駆動する。また、制御部５１は、センサユニット３とも信号線５３で接続されており、センサユニット３の検知信号が制御部５１に入力する。
【００１６】
図２においては、ガイド板４の一端側をコイン通過面２０に垂直な軸４０に軸支し、軸４０周りにガイド板４を揺動しながら、ガイド板４に沿って通過するコインＣが検出位置３０を横切る位置で、ガイド板４をベース部材２に固定する。ここでは、制御部５１が駆動治具５０を回転駆動することで、ガイド板４を揺動させ、センサユニット３からの検知信号が制御部５１に入力された時点で、制御部５１は駆動治具５０を停止する。そして、その駆動治具５０が停止した位置で、ガイド板４を固定手段（固定ネジ）４２でベース部材２に固定する。このような駆動治具５０を用いると、制御部５１による自動調整が可能になる。
【００１７】
このように、本発明の実施形態に係るコインセレクタ１は、ガイド板４のガイド面４１を軸４０周りに揺動させることで、コインＣの通路とセンサユニット３の検出位置３０との位置調整を短時間且つ簡易に行うことができる。また、ガイド板４に調整ギア噛み合い部４３を設けることで、調整ギア５側にギア列を採用することもでき、この場合は、より微細な調整を行うことが可能になる。
【符号の説明】
【００１８】
１：コインセレクタ，
２：ベース部材，２０：コイン通過面，
３：センサユニット，３０：検出位置，
４：ガイド板，４０：軸，４１：ガイド面，４２：固定手段，
４３：調整ギア噛み合い部，
５：調整ギア，５０：駆動治具（駆動モータ），５１：制御部，
５２，５３：信号線，Ｃ：コイン
【図１】
2016177510.tif 000003
【図２】
2016177510.tif 000004